(57)【要約】  【課題】どの場所にどういった内容を収録した記憶媒体（例えば、ＣＤ、ＤＶＤ）が格納されているのかを容易に知ることのできる再生装置を提供すること。  【解決手段】チェンジャーに格納された複数のディスクからいずれかを選択し、再生する機能を有したオーディオ装置において、ディスクに記憶されているＴＥＸＴ情報に基づいて、チェンジャーに格納されているディスクの見出しをトラック毎に表示する手段を装備する。  【選択図】  図９
2007087495.tif 000002
【特許請求の範囲】
【請求項１】
格納場所に格納された複数の記憶媒体のいずれかを選択し、再生する機能を有した再生
装置において、
前記記憶媒体に付与されている見出情報に基づいて、前記記憶媒体の見出しを前記格納
場所毎に表示する見出表示手段を備えていることを特徴とする再生装置。
【請求項２】
複数の記憶媒体のいずれかを選択し、再生する機能を有した再生装置において、
見出情報が記憶された見出情報記憶手段から、各記憶媒体の固有情報に基づいて、各記
憶媒体それぞれの見出情報を読み出す見出情報読出手段と、
該見出情報読出手段により読み出された前記見出情報に基づいて、前記記憶媒体の見出
しを表示する見出表示手段とを備えていることを特徴とする再生装置。
【請求項３】
複数の記憶媒体のいずれかを選択し、再生する機能を有した再生装置において、
前記記憶媒体に記憶されている見出情報に基づいて、前記記憶媒体の見出しを表示する
第１の見出表示手段と、
見出情報が記憶された見出情報記憶手段から、各記憶媒体の固有情報に基づいて、各記
憶媒体それぞれの見出情報を読み出す見出情報読出手段と、
該見出情報読出手段により読み出された前記見出情報に基づいて、前記記憶媒体の見出
しを表示する第２の見出表示手段とを備え、
前記第１の見出表示手段による見出表示が、前記第２の見出表示手段による見出表示よ
りも優先されるように構成されていることを特徴とする再生装置。
【請求項４】
複数の記憶媒体のいずれかを選択し、再生する機能を有した再生装置において、
記憶媒体に収録されているコンテンツの固有情報に対応付けて、コンテンツの見出情報
が記憶された見出情報記憶手段から、前記記憶媒体に収録されたコンテンツの固有情報に
基づいて、コンテンツの見出情報を読み出す見出情報読出手段と、
該見出情報読出手段により読み出された前記見出情報に基づいて、コンテンツの見出し
を、前記記憶媒体の見出しとして表示する見出表示手段とを備えていることを特徴とする再生装置。
【請求項５】
前記記憶媒体がディスクである場合、
前記記憶媒体の見出表示に、ディスクの種別情報が含まれていることを特徴とする請求
項１〜４のいずれかの項に記載の再生装置。
【請求項６】
表示画面上に形成された、各格納場所それぞれに対応する選択スイッチへの操作に基づ
いて、格納場所を選択する格納場所選択手段を備え、
該格納場所選択手段により選択された格納場所に格納されている記憶媒体が再生される
ように構成されると共に、
前記選択スイッチ上に前記見出しが表示されるように構成されていることを特徴とする
請求項１〜５のいずれかの項に記載の再生装置。
【発明の詳細な説明】
【技術分野】
【０００１】
本発明は再生装置に関し、より詳細には、複数の記憶媒体（例えば、ＣＤ、ＤＶＤ）か
らいずれかを取り出し、再生する機能を有した再生装置に関する。
【背景技術】
【０００２】
近年、ＨＤＤなどの大容量記憶装置が普及し、１つの記憶装置に数多くの楽曲（例えば
、３０００曲）に関するデータを記憶させておくことができるようになっている。図１１
に示したように、例えば、ＨＤＤ１には音楽ＣＤ２−１〜２−ｎに収録されている楽曲デ
ータ及びＴＯＣ（Table Of Contents ）情報が記憶され、さらに音楽ＣＤに関する情報（
例えば、タイトル名や収録されている楽曲数、総演奏時間、アーティスト名、各楽曲の曲
名・演奏時間・ジャンル）が記憶される。ＴＯＣ情報としては、音楽ＣＤに収録されてい
る楽曲数や総演奏時間などが挙げられる。
【０００３】
楽曲データ及びＴＯＣ情報については、音楽ＣＤ２−１〜２−ｎから読み出してＨＤＤ
１に記憶させることができる。一方、音楽ＣＤに関する情報については、提供するサービ
ス機関３が存在するため、インターネットなどのネットワークを介してサービス機関３か
ら取得することによって、ＨＤＤ１に記憶させることができる。
【０００４】
サービス機関３から取得した音楽ＣＤに関する情報が、ＨＤＤ１に記憶されているどの
楽曲に対応したものであるのかは、収録されている楽曲数や総演奏時間などから識別する
ことができる。例えば、タイトル名が「大発明」である音楽ＣＤ（楽曲数１６曲、総演奏
時間５１分１２秒）は、音楽ＣＤ２−２に収録されている楽曲データに対応したものであ
ると分かる。
【０００５】
しかしながら、このような数多くの楽曲の中からユーザー好みのものを見つけるのは大
変である。そこで、ユーザーの聴きたいものを自動的に選択する技術が種々提案され、そ
して実用化されてきている。例えば、下記の特許文献１には、ユーザーに「アーティスト
名」を入力させて、ユーザーにより入力された「アーティスト名」の楽曲を選択する技術
が開示されている。
【０００６】
ところで、上記したように、数多くの楽曲データが記録されたＨＤＤ１などを使用する
のではなく、従来通り、複数枚の音楽ＣＤが格納されたチェンジャーを使用して、音楽を
楽しむユーザーもいる。図１２は、チェンジャーの前面を示した図である。チェンジャー
１１は、図示しないトラック（１）〜（６）を有し、最大で６枚のディスクを格納するこ
とができるようになっている。
【０００７】
図中１２はディスクを挿脱するための挿脱口を示しており、挿脱口１２の下方にはディ
スクの格納状態を表すランプ１３〜１８が配置されている。ランプ１３〜１８はそれぞれ
トラック（１）〜（６）に対応し、対応するトラックにディスクが格納されていると点灯
するようになっている。例えば、トラック（１）にディスクが格納されていれば、ランプ
１３が点灯（緑色）し、トラック（２）にディスクが格納されていれば、ランプ１４が点
灯するようになっている。また、再生中は通常時とは異なる色（赤色）で点灯するように
なっている。これにより、ユーザーはディスクの格納状態はもちろんのこと、どのトラッ
クに格納されているディスクが再生されているのかを認識することができる。
【０００８】
しかしながら、ランプ１３〜１８の点灯からだけでは、ディスクが格納されているのか
どうかが分かるだけであって、どのトラックにどういった内容を収録したディスクが格納
されているのかを知ることはできない。そのため、チェンジャー１１に再生したいディス
クが格納されていることが分かっていたとしても、トラック（１）〜（６）のどのトラッ
クを選択して良いのか分からない。また、チェンジャー１１から取り出したいディスクが
あったとしても、やはりどのトラックに格納されているディスクを取り出して良いのかは
分からない。
【０００９】
また、最近では、ナビゲーション装置と一体化されたオーディオ装置が増えてきており
、ディスプレイにチェンジャー１１におけるディスクの格納状態を表示するものもある。
しかしながら、この場合にもやはりどのトラックにどういった内容を収録したディスクが
格納されているのかを知ることはできない。そのため、実際にトラックを選択してディス
クを再生させたり、チェンジャー１１からディスクを取り出す必要がある。
【特許文献１】特開平６−２２３５４４号公報
【発明の開示】
【課題を解決するための手段及びその効果】
【００１０】
本発明は上記課題に鑑みなされたものであって、どの場所にどういった内容を収録した
記憶媒体（例えば、ＣＤ、ＤＶＤ）が格納されているのかを容易に知ることのできる再生
装置を提供することを目的としている。
【００１１】
上記目的を達成するために本発明に係る再生装置（１）は、格納場所に格納された複数
の記憶媒体のいずれかを選択し、再生する機能を有した再生装置において、前記記憶媒体
に付与されている見出情報に基づいて、前記記憶媒体の見出しを前記格納場所毎に表示す
る見出表示手段を備えていることを特徴としている。
【００１２】
最近の音楽ＣＤには、見出しとなり得るようなＴＥＸＴ情報（例えば、曲名やアーティ
スト名）が付与されているものもあり、このＴＥＸＴ情報を用いれば、音楽ＣＤに収録さ
れている内容を知ることができる。例えば、その音楽ＣＤに収録されている楽曲の曲名、
アーティスト名を知ることができる。
【００１３】
上記再生装置（１）によれば、前記記憶媒体（例えば、音楽ＣＤ）に付与されている見
出情報（例えば、ＴＥＸＴ情報）に基づいて、前記記憶媒体の見出し（例えば、曲名、ア
ーティスト名）が表示される。これにより、各格納場所にどういった内容を収録した記憶
媒体が格納されているのかを容易に知ることができ、例えば、チェンジャーから取り出す
べきディスクを容易に把握することができる。
【００１４】
また、本発明に係る再生装置（２）は、複数の記憶媒体のいずれかを選択し、再生する
機能を有した再生装置において、見出情報が記憶された見出情報記憶手段から、各記憶媒
体の固有情報に基づいて、各記憶媒体それぞれの見出情報を読み出す見出情報読出手段と
、該見出情報読出手段により読み出された前記見出情報に基づいて、前記記憶媒体の見出
しを表示する見出表示手段とを備えていることを特徴としている。
【００１５】
「背景技術」の項目で説明したように、各音楽ＣＤのタイトル名や収録されている楽曲
数、総演奏時間、アーティスト名、各楽曲の曲名・演奏時間・ジャンルなど、音楽ＣＤに
関する情報を提供するサービス機関がある。この情報を用いれば、音楽ＣＤに収録されて
いる内容を知ることができる。
【００１６】
例えば、図１１に示したように、収録されている楽曲数が「１６曲」で、総演奏時間が
「５１分１２秒」の音楽ＣＤ２−２については、ＨＤＤ１に記憶されているＣＤに関する
情報から、そのタイトル名が「大発明」であることが分かる。また、収録されている楽曲
数が「１２曲」で、総演奏時間が「４１分５５秒」の音楽ＣＤ２−ｎについては、そのタ
イトル名が「星座」であることが分かる。
【００１７】
上記再生装置（２）によれば、見出情報（例えば、タイトル名、アーティスト名）が記
憶された前記見出情報記憶手段から、各記憶媒体（例えば、音楽ＣＤ）それぞれの固有情
報（例えば、収録されている楽曲数や総演奏時間）に基づいて、各記憶媒体それぞれの見
出情報が読み出される。また、読み出された見出情報に基づいて、前記記憶媒体の見出し
が表示される。
【００１８】
例えば、チェンジャーの第１トラックに、収録されている楽曲数が「１６曲」で、総演
奏時間が「５１分１２秒」の音楽ＣＤが格納され、チェンジャーの第２トラックに、収録
されている楽曲数が「１２曲」で、総演奏時間が「４１分５５秒」の音楽ＣＤが格納され
ている場合、表示画面上に第１トラックに格納されている音楽ＣＤの見出しとしてタイト
ル名「大発明」が表示され、第２トラックに格納されている音楽ＣＤの見出しとしてタイ
トル名「星座」が表示される。これにより、各格納場所（トラック）にどういった内容を
収録した記憶媒体（ディスク）が格納されているのかを容易に知ることができる。
【００１９】
また、本発明に係る再生装置（３）は、複数の記憶媒体のいずれかを選択し、再生する
機能を有した再生装置において、前記記憶媒体に記憶されている見出情報に基づいて、前
記記憶媒体の見出しを表示する第１の見出表示手段と、見出情報が記憶された見出情報記
憶手段から、各記憶媒体の固有情報に基づいて、各記憶媒体それぞれの見出情報を読み出
す見出情報読出手段と、該見出情報読出手段により読み出された前記見出情報に基づいて
、前記記憶媒体の見出しを表示する第２の見出表示手段とを備え、前記第１の見出表示手
段による見出表示が、前記第２の見出表示手段による見出表示よりも優先されるように構
成されていることを特徴としている。
【００２０】
上記再生装置（３）によれば、前記記憶媒体に記憶されている見出情報（例えば、ＴＥ
ＸＴ情報）、又は前記見出情報記憶手段に記憶されている見出情報に基づいて、前記記憶
媒体の見出しが表示される。従って、前記記憶媒体、前記見出情報記憶手段のいずれかに
見出情報が記憶されていれば、見出しを表示することができるので、見出しを表示するこ
とのできる前記記憶媒体の数を増やすことができる。
【００２１】
さらに、上記再生装置（３）によれば、前記第１の見出表示手段による見出表示が、前
記第２の見出表示手段による見出表示よりも優先されるように構成されている。すなわち
、前記記憶媒体に記憶されている見出情報に基づく見出表示が、前記見出情報記憶手段に
記憶されている見出情報に基づく見出表示よりも優先される。そのため、見出情報が記憶
されていない前記記憶媒体に対してのみ、前記見出情報記憶手段から該当する見出情報を
読み出せば良いことになる。
【００２２】
前記見出情報記憶手段には数多くの記憶媒体の見出情報が記憶されているため、該当す
る見出情報の読み出しは、前記記憶媒体からの見出情報の読み出しよりもその処理負荷は
大きくなる。従って、処理負荷の小さいものが優先されるため、全体としての処理負荷を
軽減することができる。
【００２３】
また、本発明に係る再生装置（４）は、複数の記憶媒体のいずれかを選択し、再生する
機能を有した再生装置において、記憶媒体に収録されているコンテンツの固有情報に対応
付けて、コンテンツの見出情報が記憶された見出情報記憶手段から、前記記憶媒体に収録
されたコンテンツの固有情報に基づいて、コンテンツの見出情報を読み出す見出情報読出
手段と、該見出情報読出手段により読み出された前記見出情報に基づいて、コンテンツの
見出しを、前記記憶媒体の見出しとして表示する見出表示手段とを備えていることを特徴としている。
【００２４】
音楽ＣＤなどの記憶媒体の見出情報を読み出すには、ＴＯＣ情報などの前記記憶媒体の
固有情報が必要となる。
しかしながら、ユーザーによる録音によって楽曲が収録された記憶媒体にはＴＯＣ情報
は存在しない。また、このような前記記憶媒体に対応する見出情報を提供するサービス機
関は存在しない。そのため、前記記憶媒体の見出情報を読み出すことはできず、前記記憶
媒体の見出しを表示することはできない。
ところが、記憶媒体に収録されている楽曲などのコンテンツは、それぞれに特徴を有し
ており、固有情報を持っている。例えば、楽曲が異なれば、それを構成するデータ波形も
異なる。
【００２５】
上記再生装置（４）によれば、各記憶媒体に収録されているコンテンツの固有情報に基
づいて、コンテンツの見出情報が読み出され、コンテンツの見出しが、前記記憶媒体の見
出しとして表示される。これにより、ユーザーによる録音によって楽曲が収録された、Ｔ
ＯＣ情報などの固有情報を有しない記憶媒体であったとしても、該記憶媒体に収録されて
いるコンテンツの曲名などを、前記記憶媒体の見出しとして表示することができる。また
、前記コンテンツの固有情報として、前記コンテンツのデータ波形を採用すれば、ディジ
タルデータに限らず、ラジオ放送で受信したアンログデータを記憶媒体に録音した場合に
も、見出しを表示することができる。
【００２６】
また、本発明に係る再生装置（５）は、上記再生装置（１）〜（４）のいずれかにおい
て、前記記憶媒体がディスクである場合、前記記憶媒体の見出表示に、ディスクの種別情
報が含まれていることを特徴としている。
【００２７】
別のディスクであっても、同じタイトルが付与されていることはあり、例えば、あるＣ
Ｄ、ＤＶＤに「いろは」といった同じタイトルが付与されることはあり得る。このような
同じタイトル「いろは」が付与されたＣＤとＤＶＤが同じチェンジャーに格納されている
場合、タイトル「いろは」を表示しただけでは、両者を区別することはできない。
【００２８】
また、チャンジャーから取り出した後でも、ＣＤとＤＶＤの形状は同じであるため、両
者を区別することは容易ではない。そのため、使用者はチェンジャーからＣＤを取り出し
たつもりで、取り出したディスクをＣＤの収納ケースに収納したが、実際にはＣＤではな
くＤＶＤであったという収納間違いをしてしまうことが考えられる。
【００２９】
上記再生装置（５）によれば、前記記憶媒体の見出表示に、ディスクの種別情報（例え
ば、ＣＤ、ＤＶＤ）が含まれているので、例えば、同じタイトルが付与されたＣＤ、ＤＶ
Ｄが同じチェンジャーに格納されていても、両者を区別することができ、チェンジャーか
ら取り出すべきディスクを容易に把握することができる。
【００３０】
また、チェンジャーから取り出すディスクがＣＤ、ＤＶＤのいずれであるのかを正確に
把握することができるため、収納ケースへの収納間違いを無くすことができる。また、チ
ェンジャーから取り出す前に、ＣＤ、ＤＶＤのいずれの収納ケースを用意しておけば良い
のかも分かる。
【００３１】
また、本発明に係る再生装置（６）は、上記再生装置（１）〜（５）のいずれかにおい
て、表示画面上に形成された、各格納場所それぞれに対応する選択スイッチへの操作に基
づいて、格納場所を選択する格納場所選択手段を備え、該格納場所選択手段により選択さ
れた格納場所に格納されている記憶媒体が再生されるように構成されると共に、前記選択
スイッチ上に前記見出しが表示されるように構成されていることを特徴としている。
【００３２】
上記再生装置（６）によれば、各格納場所それぞれに対応する選択スイッチへの操作に
基づいて、格納場所が選択され、記憶媒体が再生される。従って、ユーザーは前記選択ス
イッチのいずれかを操作することによって、所望の格納場所に格納されている記憶媒体を
再生させることができる。また、前記選択スイッチ上に前記見出しが表示されるので、所
望の内容を収録した記憶媒体を確実に再生させることができる。
【発明を実施するための最良の形態】
【００３３】
以下、本発明に係る再生装置の実施の形態を図面に基づいて説明する。図１は、実施の
形態（１）に係る再生装置の要部を概略的に示したブロック図である。図中３１は図示し
ないＣＰＵ、ＲＯＭ、ＲＡＭを有したマイコンを示しており、マイコン３１にはタッチス
クリーンを有したディスプレイ３２と、操作部３３と、スピーカ３４と、移動体通信機３
５と、トラック（１）〜（６）を有し、最大で６枚のディスクを格納でき、ディスク再生
の可能なチェンジャー３６と、磁気ディスクで構成され、データの読み書きが可能であり
、ＣＤやＤＶＤに関する情報などが記憶されたＨＤＤ３７とが接続されている。
【００３４】
図２は、ＨＤＤ３７に記憶されているＣＤに関する情報（以降、ＣＤ情報とも記す）の
一部を示した図であり、ＨＤＤ３７にはＣＤ情報として、例えば、タイトル名、収録され
ている楽曲数、収録されている楽曲の総演奏時間、アーティスト名、リリースされた年月
日、収録されている各楽曲の曲名・演奏時間・ジャンルなどが記憶されている。これら情
報については、あるサービス機関から移動体通信機３５を使って取得すれば良い。
【００３５】
ＨＤＤ３７に記憶されているＣＤ情報が、どの音楽ＣＤに関する情報であるのかは、収
録されている楽曲数や総演奏時間などから識別することができる。例えば、ＨＤＤ３７に
記憶されているＣＤ情報（図２参照）から、図１１に示した音楽ＣＤ２−２（楽曲数１６
曲、総演奏時間５１分１２秒）のタイトル名が「大発明」で、アーティスト名が「特許太
郎」であることが分かる。
【００３６】
図３は、ＨＤＤ３７に記憶されているＤＶＤに関する情報（以降、ＤＶＤ情報とも記す
）の一部を示した図であり、ＨＤＤ３７にはＤＶＤ情報として、例えば、タイトル名、Ｄ
ＶＤに収録されているチャプター数、収録されている総映像時間、リリースされた年月日
、ジャンルなどが記憶されている。これら情報についても、あるサービス機関から移動体
通信機３５を使って取得すれば良い。
【００３７】
ＨＤＤ３７に記憶されているＤＶＤ情報が、どのＤＶＤに関する情報であるのかは、Ｃ
Ｄと同様に、収録されているチャプター数や総映像時間などから識別することができる。
例えば、ＨＤＤ３７に記憶されているＤＶＤ情報から、収録されているチャプター数が「
３２」で、総映像時間が「１２６分５０秒」のＤＶＤのタイトル名は「ＬＡＳＴ  ＳＡＫ
ＵＲＡＩ」であり、そのジャンルが「恋愛」であることが分かる。
【００３８】
また、マイコン３１ではチェンジャー３６に格納されているディスクにどのような内容
のものが収録されているのかを把握しておくことができ、マイコン３１内のメモリ３１ａ
にはトラック（１）〜（６）に格納されているディスクを管理するための管理データが記
憶されている。図４は、メモリ３１ａに記憶されるトラック管理データの一例を示した図
である。
【００３９】
メモリ３１ａには各トラック（１）〜（６）毎に、格納されているディスクの種別（Ｃ
Ｄ、ＤＶＤ、再生対象外であることを示すＥＸＴ）、ＴＥＸＴ情報（曲名、アーティスト
名）、ＴＯＣ情報（楽曲数、総演奏時間）、ＣＤ情報（タイトル名、アーティスト名）、
チャプター数、総映像時間、ＤＶＤ情報（タイトル名）が記憶されるようになっている。
メモリ３１ａへのこれら情報の書込処理については、後で詳しく説明する。
【００４０】
次に、実施の形態（１）に係る再生装置におけるマイコン３１の行う処理動作［１］を
図５、図６に示したフローチャートに基づいて説明する。なお、この処理動作［１］はチ
ェンジャー３６におけるディスクの格納状態に変更（例えば、ディスクの挿入、取り出し
）があった場合に行われる動作である。
【００４１】
まず、数値ｎを「１」にし（ステップＳ１）、チェンジャー３６のトラック（ｎ）にデ
ィスクが格納されているか否かを判断する（ステップＳ２）。トラック（ｎ）にディスク
が格納されていると判断すれば、次に、トラック（ｎ）に格納されているディスクがＣＤ
であるか否かを判断する（ステップＳ３）。
【００４２】
トラック（ｎ）に格納されているディスクがＣＤであると判断すれば、次に、トラック
（ｎ）に格納されているＣＤにＴＥＸＴ情報が記憶されているか否かを判断する（ステッ
プＳ４）。トラック（ｎ）に格納されているＣＤにＴＥＸＴ情報が記憶されていると判断
すれば、次に、トラック（ｎ）に格納されているＣＤからＴＥＸＴ情報を読み出し（ステ
ップＳ５）、メモリ３１ａに記憶されているトラック（ｎ）の管理データ（図４参照）と
比較し（ステップＳ６）、トラック（ｎ）の管理データとして記憶されているＴＥＸＴ情
報と、ＣＤから読み出したＴＥＸＴ情報とが同じであるか否かを判断する（ステップＳ７
）。
【００４３】
これらＴＥＸＴ情報が同じでない（すなわち、トラック（ｎ）に格納されているディス
クに変更があった）と判断すれば、ＣＤから読み出したＴＥＸＴ情報に基づいて、トラッ
ク（ｎ）の管理データを更新し（ステップＳ８）、その後、ステップＳ９へ進む。具体的
には、トラック（ｎ）の管理データを一旦クリアにし、その後、ディスク種別を「ＣＤ」
にし、ＴＥＸＴ情報（曲名、アーティスト名）の書き込み処理を行う。
一方、これらＴＥＸＴ情報が同じである（すなわち、トラック（ｎ）に格納されている
ディスクに変更はない）と判断すれば、トラック（ｎ）の管理データを更新する必要はな
いため、ステップＳ８を飛ばして、そのままステップＳ９へ進む。
【００４４】
ステップＳ９では、数値ｎに「１」を加算し、加算した数値ｎが「７」以上であるか否
かを判断する（ステップＳ１０）。数値ｎが「７」以上であると判断すれば、トラック（
１）〜（６）全てのチェックが終了したことになるため、処理動作［１］を終了する。一
方、数値ｎは「７」以上でないと判断すれば、ステップＳ２へ戻る。
【００４５】
また、ステップＳ４において、トラック（ｎ）に格納されているＣＤにＴＥＸＴ情報が
記憶されていないと判断すれば、次に、トラック（ｎ）に格納されているＣＤからＴＯＣ
情報を読み出し（ステップＳ１１）、メモリ３１ａに記憶されているトラック（ｎ）の管
理データ（図４参照）と比較し（ステップＳ１２）、トラック（ｎ）の管理データとして
記憶されているＴＯＣ情報と、ＣＤから読み出したＴＯＣ情報とが同じであるか否かを判
断する（ステップＳ１３）。
【００４６】
これらＴＯＣ情報が同じでない（すなわち、トラック（ｎ）に格納されているディスク
に変更があった）と判断すれば、ＣＤから読み出したＴＯＣ情報に基づいて、トラック（
ｎ）の管理データを更新し（ステップＳ１４）、その後、ステップＳ１５へ進む。具体的
には、トラック（ｎ）の管理データを一旦クリアにし、その後、ディスク種別を「ＣＤ」
にし、ＴＯＣ情報（楽曲数、総演奏時間）の書き込み処理を行う。
一方、これらＴＯＣ情報が同じである（すなわち、トラック（ｎ）に格納されているデ
ィスクに変更はない）と判断すれば、トラック（ｎ）の管理データを更新する必要はない
ため、ステップＳ１４〜Ｓ１８を飛ばして、そのままステップＳ９へ進む。
【００４７】
ステップＳ１５では、ＣＤから読み出したＴＯＣ情報に基づいて、ＨＤＤ３７に記憶さ
れているＣＤ情報を検索し、該当するＣＤ情報が存在するか否かを判断する（ステップＳ
１６）。該当するＣＤ情報が存在すると判断すれば、ＨＤＤ３７から当該ＣＤ情報を読み
出し（ステップＳ１７）、読み出したＣＤ情報に基づいて、トラック（ｎ）の管理データ
を更新し（ステップＳ１８）、その後、ステップＳ９へ進む。具体的には、ＣＤ情報（タ
イトル名、アーティスト名）の書き込み処理を行う。
【００４８】
一方、該当するＣＤ情報が存在しないと判断すれば、ＣＤ情報を書き込むことはできな
いので、ステップＳ１７、Ｓ１８を飛ばして、そのままステップＳ９へ進む。なお、別の
実施の形態では、該当するＣＤ情報がＨＤＤ３７に存在しないと判断した場合には、移動
体通信機３５を使用して、ＣＤ情報を提供しているサービス機関へアクセスし、所望のＣ
Ｄ情報を取得するようにしても良い。
【００４９】
ステップＳ２において、トラック（ｎ）にディスクが格納されていないと判断すれば、
トラック（ｎ）の管理データをクリアにし（ステップＳ１９）、その後、ステップＳ９へ
進む。
また、ステップＳ３において、トラック（ｎ）に格納されているディスクがＣＤではな
いと判断すれば、次に、トラック（ｎ）に格納されているディスクがＤＶＤであるか否か
を判断する（ステップＳ２１）。
【００５０】
トラック（ｎ）に格納されているディスクがＤＶＤであると判断すれば、次に、トラッ
ク（ｎ）に格納されているＤＶＤからチャプター数及び総映像時間を示した情報を読み出
し（ステップＳ２２）、メモリ３１ａに記憶されているトラック（ｎ）の管理データ（図
４参照）と比較し（ステップＳ２３）、トラック（ｎ）の管理データとして記憶されてい
るチャプター数及び総映像時間を示した情報と、ＤＶＤから読み出した情報とが同じであ
るか否かを判断する（ステップＳ２４）。
【００５１】
これら情報が同じでない（すなわち、トラック（ｎ）に格納されているディスクに変更
があった）と判断すれば、ＤＶＤから読み出した情報に基づいて、トラック（ｎ）の管理
データを更新し（ステップＳ２５）、その後、ステップＳ２６へ進む。具体的には、トラ
ック（ｎ）の管理データを一旦クリアにし、その後、ディスク種別を「ＤＶＤ」にし、チ
ャプター数及び総映像時間を示した情報の書き込み処理を行う。
一方、これら情報が同じである（すなわち、トラック（ｎ）に格納されているディスク
に変更はない）と判断すれば、トラック（ｎ）の管理データを更新する必要はないため、
ステップＳ２５〜Ｓ２９を飛ばして、そのままステップＳ９へ進む。
【００５２】
ステップＳ２６では、ＤＶＤから読み出した、チャプター数及び総映像時間を示した情
報に基づいて、ＨＤＤ３７に記憶されているＤＶＤ情報を検索し、該当するＤＶＤ情報が
存在するか否かを判断する（ステップＳ２７）。該当するＤＶＤ情報が存在すると判断す
れば、ＨＤＤ３７から当該ＤＶＤ情報を読み出し（ステップＳ２８）、読み出したＤＶＤ
情報に基づいて、トラック（ｎ）の管理データを更新し（ステップＳ２９）、その後、ス
テップＳ９へ進む。具体的には、ＤＶＤ情報（タイトル名）の書き込み処理を行う。
【００５３】
一方、該当するＤＶＤ情報が存在しないと判断すれば、ＤＶＤ情報を書き込むことはで
きないので、ステップＳ２８、Ｓ２９を飛ばして、そのままステップＳ９へ進む。なお、
別の実施の形態では、該当するＤＶＤ情報がＨＤＤ３７に存在しないと判断した場合には
、移動体通信機３５を使用して、ＤＶＤ情報を提供しているサービス機関へアクセスし、
所望のＤＶＤ情報を取得するようにしても良い。
【００５４】
また、ステップＳ２１において、トラック（ｎ）に格納されているディスクがＤＶＤで
はないと判断すれば、トラック（ｎ）に格納されているディスクは再生対象外であるため
、トラック（ｎ）の管理データを更新し（ステップＳ３０）、その後、ステップＳ９へ進
む。具体的には、トラック（ｎ）の管理データを一旦クリアにし、その後、ディスク種別
を「ＥＸＴ」にする。
【００５５】
次に、実施の形態（１）に係る再生装置におけるマイコン３１の行う処理動作［２］を
図７、図８に示したフローチャートに基づいて説明する。なお、この処理動作［２］は入
力操作によって、ユーザーからチェンジャー３６に格納されているディスク内容の一覧表
示が要求された場合に行われる動作である。図９に、チェンジャー３６に格納されている
ディスク内容をディスプレイ３２に一覧表示した表示の一例を示す。
【００５６】
まず、トラック（１）〜（６）それぞれに対応する、選択スイッチＳＷ１〜ＳＷ６（図
９参照）を作成し（ステップＳ３１）、次に、数値ｍを「１」にし（ステップＳ３２）、
メモリ３１ａに記憶されているトラック（ｍ）の管理データ（図４参照）に基づいて、ト
ラック（ｍ）にディスクが格納されているか否かを判断する（ステップＳ３３）。
【００５７】
トラック（ｍ）にディスクが格納されていると判断すれば、次に、トラック（ｍ）の管
理データに基づいて、トラック（ｍ）に格納されているディスクの種別がＣＤであるか否
かを判断する（ステップＳ３４）。ディスクの種別がＣＤであると判断すれば、次に、ト
ラック（ｍ）に対応する選択スイッチ上に「ＣＤ」と表示し（ステップＳ３５）、トラッ
ク（ｍ）の管理データにＴＥＸＴ情報が存在するか否かを判断する（ステップＳ３６）。
【００５８】
トラック（ｍ）の管理データにＴＥＸＴ情報が存在すると判断すれば、次に、ＴＥＸＴ
情報に基づいて、トラック（ｍ）に対応する選択スイッチ上に、トラック（ｍ）に格納さ
れているディスク（ＣＤ）の見出しとして、曲名、アーティスト名を表示し（ステップＳ
３７）、その後、ステップＳ４１へ進む。
【００５９】
一方、トラック（ｍ）の管理データにＴＥＸＴ情報は存在しないと判断すれば、次に、
トラック（ｍ）の管理データにＣＤ情報が存在するか否かを判断する（ステップＳ３８）
。ＣＤ情報が存在すると判断すれば、次に、ＣＤ情報に基づいて、トラック（ｍ）に対応
する選択スイッチ上に、トラック（ｍ）に格納されているディスク（ＣＤ）の見出しとし
て、タイトル名、アーティスト名を表示し（ステップＳ３９）、その後、ステップＳ４１
へ進む。
【００６０】
また、ステップＳ３８において、トラック（ｍ）の管理データにＣＤ情報は存在しない
（すなわち、トラック（ｍ）の管理データには、ＴＥＸＴ情報、ＣＤ情報のいずれも存在
しない）と判断すれば、次に、トラック（ｍ）に対応する選択スイッチ上に、トラック（
ｍ）に格納されているディスク（ＣＤ）の見出しとして、「ＮＯ  ＤＡＴＡ」を表示し（
ステップＳ４０）、その後、ステップＳ４１へ進む。
【００６１】
ステップＳ４１では、数値ｍに「１」を加算し、加算した数値ｍが「７」以上であるか
否かを判断する（ステップＳ４２）。数値ｍが「７」以上であると判断すれば、トラック
（１）〜（６）に対応する選択スイッチＳＷ１〜ＳＷ６への見出表示が終了したことにな
るため、次に、ディスプレイ３２に対するタッチ操作が行われたか否かを判断する（ステ
ップＳ４３）。一方、数値ｍは「７」以上でないと判断すれば、ステップＳ３３へ戻る。
【００６２】
タッチ操作が行われたと判断すれば、そのタッチ操作が選択スイッチＳＷ１〜ＳＷ６に
対する操作であるか否かを判断し（ステップＳ４４）、選択スイッチＳＷ１〜ＳＷ６に対
する操作であると判断すれば、対応するトラック（１）〜（６）に格納されているディス
クを再生させる（ステップＳ４５）。一方、選択スイッチＳＷ１〜ＳＷ６に対する操作で
はないと判断すれば、操作に応じた、ディスク再生とは異なる別の処理を行う（ステップ
Ｓ４６）。
【００６３】
また、ステップＳ３３において、トラック（ｍ）にディスクが格納されていないと判断
すれば、次に、トラック（ｍ）に対応する選択スイッチ上に、「ＮＯ  ＤＩＳＫ」と表示
し（ステップＳ４７）、その後、ステップＳ４１へ進む。
また、ステップＳ３４において、トラック（ｍ）に格納されているディスクの種別がＣ
Ｄでないと判断すれば、次に、トラック（ｍ）の管理データに基づいて、トラック（ｍ）
に格納されているディスクの種別がＤＶＤであるか否かを判断する（ステップＳ５１）。
【００６４】
トラック（ｍ）に格納されているディスクの種別がＤＶＤであると判断すれば、次に、
トラック（ｍ）に対応する選択スイッチ上に「ＤＶＤ」と表示し（ステップＳ５２）、ト
ラック（ｍ）の管理データ（図４参照）にＤＶＤ情報が存在するか否かを判断する（ステ
ップＳ５３）。
【００６５】
トラック（ｍ）の管理データにＤＶＤ情報が存在すると判断すれば、次に、ＤＶＤ情報
に基づいて、トラック（ｍ）に対応する選択スイッチ上に、トラック（ｍ）に格納されて
いるディスク（ＤＶＤ）の見出しとして、タイトル名を表示し（ステップＳ５４）、その
後、ステップＳ４１へ進む。
【００６６】
一方、トラック（ｍ）の管理データにＤＶＤ情報は存在しないと判断すれば、次に、ト
ラック（ｍ）に対応する選択スイッチ上に、トラック（ｍ）に格納されているディスク（
ＤＶＤ）の見出しとして、「ＮＯ  ＤＡＴＡ」を表示し（ステップＳ５５）、その後、ス
テップＳ４１へ進む。
【００６７】
また、ステップＳ５１において、トラック（ｍ）に格納されているディスクの種別がＤ
ＶＤでない（すなわち、トラック（ｍ）に再生対象外のディスクが格納されている）と判
断すれば、次に、トラック（ｍ）に対応する選択スイッチ上に「ＥＸＴ」と表示し（ステ
ップＳ５６）、その後、ステップＳ４１へ進む。
【００６８】
上記実施の形態（１）に係る再生装置によれば、ＣＤに記憶されているＴＥＸＴ情報や
、ＴＯＣ情報（楽曲数、総演奏時間）から読み出されたＣＤ情報に基づいて、チェンジャ
ー３６に格納されているＣＤの見出しがトラック毎に表示される。また、ＤＶＤについて
もチャプター数や総映像時間から読み出されたＤＶＤ情報に基づいて、チェンジャー３６
に格納されているＤＶＤの見出しがトラック毎に表示される。これにより、各トラックに
どういった内容を収録したディスクが格納されているのかをユーザーは容易に知ることが
でき、例えば、チェンジャー３６から取り出すべきディスクを容易に把握することができ
る。
【００６９】
また、上記実施の形態（１）に係る再生装置では、チェンジャー３６に格納されている
ディスクの見出しを表示する場合について説明しているが、見出し表示の対象となる記憶
媒体はディスクに限定されない。また、チェンジャー３６に格納されるものにも限定され
ず、例えば、図１０に示したように、チャンジャー３６に格納されているディスクと一緒
に、別の格納場所に格納されているミニディスクの見出しについて表示するようにしても
良い。
【００７０】
また、上記実施の形態（１）に係る再生装置では、ＣＤ情報やＤＶＤ情報の読み出しに
、ＣＤに記憶されているＴＯＣ情報やＤＶＤに記憶されているチャプター数、総映像時間
を示した情報を使用しているが、別の実施の形態に係る再生装置では、ＣＤなどに記憶さ
れているコンテンツ（例えば、楽曲データ）の固有情報、例えば、そのデータ波形を使用
するようにしても良い。これを実現するには、ＴＯＣ情報に対応付けてＣＤ情報を記憶さ
せていたように、データ波形に対応付けてコンテンツの見出情報を蓄積させておけば良い
。
さらに別の実施の形態に係る再生装置では、ＣＤやＤＶＤなどのディスク表面に表示さ
れている、ディスクの固有情報を、画像認識により読み取って、読み取った固有情報に含
まれるディスクタイトルなどを見出情報として表示するようにしても良い。
【図面の簡単な説明】
【００７１】
【図１】本発明の実施の形態（１）に係る再生装置の要部を概略的に示したブロック図である。
【図２】ＨＤＤに記憶されているＣＤ情報の一部を示した図である。
【図３】ＨＤＤに記憶されているＤＶＤ情報の一部を示した図である。
【図４】マイコン内のメモリに記憶されるトラック管理データの一例を示した図である。
【図５】実施の形態（１）に係る再生装置におけるマイコンの行う処理動作を示したフローチャートである。
【図６】実施の形態（１）に係る再生装置におけるマイコンの行う処理動作を示したフローチャートである。
【図７】実施の形態（１）に係る再生装置におけるマイコンの行う処理動作を示したフローチャートである。
【図８】実施の形態（１）に係る再生装置におけるマイコンの行う処理動作を示したフローチャートである。
【図９】ディスプレイに表示される操作画面の一例を示した図である。
【図１０】ディスプレイに表示される操作画面の一例を示した図である。
【図１１】ＨＤＤに記憶されているデータの一部を示した図である。
【図１２】チェンジャーの前面を示した図である。
【符号の説明】
【００７２】
３１  マイコン
３１ａ  メモリ
３２  ディスプレイ
３３  操作部
３４  スピーカ
３５  移動体通信機
３６  チェンジャー
３７  ＨＤＤ
【図１】
2007087495.tif 000003
【図２】
2007087495.tif 000004
【図３】
2007087495.tif 000005
【図４】
2007087495.tif 000006
【図５】
2007087495.tif 000007
【図６】
2007087495.tif 000008
【図７】
2007087495.tif 000009
【図８】
2007087495.tif 000010
【図９】
2007087495.tif 000011
【図１０】
2007087495.tif 000012
【図１１】
2007087495.tif 000013
【図１２】
2007087495.tif 000014